(57)【要約】【課題】  使用中は転倒の危険が無くしっかりと固定され、掃除の時等は簡単に移動できる踏台を提供する。【解決手段】  建物に存在する段差部の前側に設置された平面視略矩形状の踏板の四隅に支持脚が垂設された踏台において、前記踏台を固定する固定アングルが略Ｌ字形状を有し、その略Ｌ字形状の一方の辺の底面が踏板上面に近接または接触するように固定アングルが段差部側面に固定配置し、前記踏台の上方向への移動を規制したことを特徴とする。【選択図】  図３
2005120601.tif 000002
【特許請求の範囲】
【請求項１】
建物に存在する段差部の前側に設置された平面視略矩形状の踏板の四隅に支持脚が垂設された踏台において、前記踏台を固定する固定アングルが略Ｌ字形状を有し、その略Ｌ字形状の一方の辺の底面が踏板上面に近接または接触するように固定アングルが段差部側面に固定配置し、前記踏台の上方向への移動を規制したことを特徴とする踏台。
【請求項２】
建物に存在する段差部の前側に設置された平面視略矩形状の踏板の四隅に支持脚が垂設された踏台において、前記踏台の段差部側に水平方向にスリットを設け、前記スリットと係合する略Ｌ字形状の固定アングルを段差部側面に配置して、前記踏台の上方向の移動を規制したことを特徴とする踏台。
【請求項３】
建物に存在する段差部の前側に設置された平面視略矩形状の踏板の四隅に支持脚が垂設された踏台において、前記踏台の段差部側で踏板の下方に設けた略Ｕ字形状の金具と、段差部側面に設けた前記略Ｕ字形状金具と係合可能な略逆Ｕ形状字金具とで、段差部前側に踏台を床面に設置した状態で固定配置し、前記踏台の上方向への移動を規制したことを特徴とする踏台。
【請求項４】
建物に存在する段差部の前側に設置された平面視略矩形状の踏板の四隅に支持脚が垂設された踏台において、前記踏台の段差部側で踏板の下方に設けた略Ｕ字形状の金具と、段差部側面に水平に設けた前記略Ｕ字形状金具と係合可能な棒状部材とで、段差部前側に踏台を床面に設置した状態で固定配置して、前記踏台の上方向への移動を規制したことを特徴とする踏台。
【請求項５】
建物に存在する段差部の前側に設置された平面視略矩形状の踏板の四隅に支持脚が垂設された踏台において、前記踏台の段差部側で段差部側面と平行に踏台に設けた回転軸部材と、段差部側面に前記回転部材を中心として踏台が回転可能なように設置した支持金具とを有することを特徴とする踏台。
【請求項６】
建物に存在する段差部の前側に設置された平面視略矩形状の踏板の四隅に支持脚が垂設された踏台において、前記踏台の段差部側に設けた固定プレートと、前記固定プレートを段差部側面に沿わせて下方若しくは側方から挿入可能とした開口部を有する固定ブラケットを段差部側面に固定配置し、前記踏台の上方向への移動を規制したことを特徴とする踏台。
【請求項７】
前記固定プレートが略Ｌ字形状であることを特徴とする請求項６に記載の踏台。
【発明の詳細な説明】
【技術分野】
【０００１】
本発明は、例えば家の玄関の上がり框、勝手口、縁側などの大きな段差を小さくする為の踏台に係り、特に人が載っても転倒し難く、かつ、掃除等の時には簡単に移動できる踏台に関する発明である。 
【背景技術】
【０００２】
図３４に示すように、従来の踏台１は、固定金具３１等を介し玄関の框に固定されている。また、固定金具３１等から踏台１を取り外す為には、滑り止めキャップ３１等を取り外す構造になっている。
このような場合、例えば玄関を掃除する時、踏台１が固定されているため、掃除の邪魔になったり、踏台１の下が掃除しにくく、いつも汚れていたり、踏台１を移動させようと思ってもいちいち滑り止めキャップ３２等を取り外さなけらばならないという問題があった（例えば、特許文献１参照。）。
【０００３】
また、このような煩わしさを避けるため、踏台を玄関の框等に固定せずに使用する為、使用者が踏台を踏む場所によっては、踏台が転倒し、しいては使用者が転倒し怪我をする等の問題があった。
【特許文献１】特開２０００−２９７５８５号公報
【発明の開示】
【発明が解決しようとする課題】
【０００４】
本発明は、上記問題を解決するためになされたもので、本発明の課題は、人が載っても転倒し難く、かつ、掃除等の時には簡単に移動できる踏台を提供することを目的とする。
【課題を解決するための手段】
【０００５】
上記目的を達成するために請求項１記載の発明によれば、建物に存在する段差部の前側に設置された平面視略矩形状の踏板の四隅に支持脚が垂設された踏台において、前記踏台を固定する固定アングルが略Ｌ字形状を有し、その略Ｌ字形状の一方の辺の底面が踏板上面に近接または接触するように固定アングルが段差部側面に固定配置し、前記踏台の上方向への移動を規制する。
【０００６】
特に、使用者が段差の高い側から低い側に降りてくるときに、段差の高い側の踏台の一辺の上面に該略Ｌ字形状の固定アングルを近接または接触するように配置すれば、該一辺側の上方向への動きを規制するで、使用者が該一辺の対辺（段差の低い側の踏板の一辺）の上面を踏んでも、踏台が転倒することくより安全である。しかも掃除の時等、踏台を移動させたい場合は、踏台を段差の高い側から低い側に水平に移動させれば、略Ｌ字形状の固定アングルに規制されること無く好きな場所に踏台を移動させることが可能である。
【０００７】
また、請求項２記載の発明によれば、建物に存在する段差部の前側に設置された平面視略矩形状の踏板の四隅に支持脚が垂設された踏台において、前記踏台の段差部側に水平方向にスリットを設け、前記スリットと係合する略Ｌ字形状の固定アングルを段差部側面に配置して、前記踏台の上方向の移動を規制する。
【０００８】
特に、使用者が段差の高い側から低い側に降りてくるときに、段差の高い側の踏台の一辺の側にスリットを設ければ、該一辺側の上方向への動きを規制するで、使用者が該一辺の対辺（段差の低い側の踏板の一辺）の上面を踏んでも、踏台が転倒することくより安全である。しかも掃除の時等、踏台を移動させたい場合は、踏台を段差の高い側から低い側に水平に移動させれば、スリットに規制されること無く好きな場所に踏台を移動させることが可能である。さらに固定アングルをＬ字形状の断面に垂直な方向に長くすることで、踏台を自由な位置において安全に使用することができる。また、踏板表面に固定アングルが露出しないのでより安全である。
【０００９】
また、請求項３記載の発明によれば、建物に存在する段差部の前側に設置された平面視略矩形状の踏板の四隅に支持脚が垂設された踏台において、前記踏台の段差部側で踏板の下方に設けた略Ｕ字形状の金具と、段差部側面に設けた前記略Ｕ字形状金具と係合可能な略逆Ｕ形状字金具とで、段差部前側に踏台を床面に設置した状態で固定配置し、前記踏台の上方向への移動を規制する。
【００１０】
特に、使用者が段差の高い側から低い側に降りてくるときに、段差の高い側の踏台の一辺の側に略Ｕ字金具を設ければ、該一辺側の上方向への動きを規制するで、使用者が該一辺の対辺（段差の低い側の踏板の一辺）の上面を踏んでも、踏台が転倒することくより安全である。しかも掃除の時等、踏台を移動させたい場合は、略Ｕ字金具を取付けた辺の対辺側を持ち上げ、略Ｕ字金具を略逆Ｕ字金具から開放することで、踏台を移動させることが可能である。さらに略逆Ｕ字金具を逆Ｕ字形状の断面に垂直な方向に長くすることで、踏台を自由な位置において安全に使用することができる。断面形状が略逆Ｕ字状なので、断面形状がＬ字形状より更に安全である。また、踏板の表面に部材が露出することもなく安全である。
【００１１】
また、請求項４記載の発明によれば、建物に存在する段差部の前側に設置された平面視略矩形状の踏板の四隅に支持脚が垂設された踏台において、前記踏台の段差部側で踏板の下方に設けた略Ｕ字形状の金具と、段差部側面に水平に設けた前記略Ｕ字形状金具と係合可能な棒状部材とで、段差部前側に踏台を床面に設置した状態で固定配置して、前記踏台の上方向への移動を規制する。
【００１２】
特に、使用者が段差の高い側から低い側に降りてくるときに、段差の高い側の踏台の一辺の側に略Ｕ字金具を設ければ、該一辺側の上方向への動きを規制するで、使用者が該一辺の対辺（段差の低い側の踏板の一辺）の上面を踏んでも、踏台が転倒することくより安全である。しかも掃除の時等、踏台を移動させたい場合は、略Ｕ字金具を取付けた辺の対辺側を持ち上げることで、略Ｕ字金具を棒状部材から開放することで踏台を移動させることが可能である。さらに棒状部材を円の断面に垂直な方向に長くすることで、踏台を自由な位置において安全に使用することができる。断面形状が円形状なので、断面形状が逆略Ｕ字形状より更に安全である。また、踏板の表面に部材が露出することがなく安全である。
【００１３】
また、請求項５記載の発明では、建物に存在する段差部の前側に設置された平面視略矩形状の踏板の四隅に支持脚が垂設された踏台において、前記踏台の段差部側で段差部側面と平行に踏台に設けた回転軸部材と、段差部側面に前記回転部材を中心として踏台が回転可能なように設置した支持金具とを有することを特徴とした。
【００１４】
特に、使用者が段差の高い側から低い側に降りてくるときに、段差の高い側の踏台の一辺の側に回転軸を設ければ、該一辺側の上方向への動きを規制するで、使用者が該一辺の対辺（段差の低い側の踏板の一辺）の上面を踏んでも、踏台が転倒することくより安全である。しかも掃除の時等、踏台を移動させたい場合、踏台は回転軸により軸着固定されているため、回転軸側の辺の対辺側を片手で持ち上げることができる。更に回転軸を長くのばすことで、踏台を自由な位置において安全に使用することができる。また、踏板の表面に部材が露出することがなく安全である。
【００１５】
また、請求項６記載の発明によれば、建物に存在する段差部の前側に設置された平面視略矩形状の踏板の四隅に支持脚が垂設された踏台において、前記踏台の段差部側に設けた固定プレートと、前記固定プレートを段差部側面に沿わせて下方若しくは側方から挿入可能とした開口部を有する固定ブラケットを段差部側面に固定配置し、前記踏台の上方向への移動を規制する。
【００１６】
特に、使用者が段差の高い側から低い側に降りてくるときに、段差の高い側の踏台の一辺の側に固定プレート及び固定ブラケットを設ければ、該一辺側の上方向への動きを規制するで、使用者が該一辺の対辺（段差の低い側の踏板の一辺）の上面を踏んでも、踏台が転倒することくより安全である。しかも掃除の時等、踏台を移動させたい場合は、固定プレートを取付けた辺の対辺側を持ち上げげることで、固定プレートを固定ブラケットから開放すいることで踏台を移動させることが可能である。また、踏板の表面に部材が露出することがなく安全である。
【００１７】
また、請求項７記載の発明によれば、前記記載の固定プレートが略Ｌ字形状であるので、いろいろなデザインの踏台に固定プレートの取付けを可能にした。
【発明の効果】
【００１８】
上述の如く、本発明の請求項１記載の踏台においては、略Ｌ字形状の固定アングルが、踏板の一辺の側の上方向への移動を規制することで、使用者が踏台を安全に使用でき、しかも、掃除等の時は踏台を容易に移動することができる。
【００１９】
又、本発明の請求項２記載の踏台においては、特に固定アングルを踏板の表面に露出することなく設置できるので、使用者はより安全に、踏台を使用することができる。更に固定アングルをＬ字形状の断面に垂直な方向に長くすることで、踏台を自由な位置に置いて安全に使用することができる。
【００２０】
又、本発明の請求項３記載の踏台においては、特に略逆Ｕ字状の金具を使用することで、使用者または使用者以外が踏台の周りを移動するときも安全である。
【００２１】
又、本発明の請求項４記載の踏台においては、請求項３記載の略Ｕ字金具を棒状の形とすることにより、製作コストを安価にすることが可能である。
【００２２】
又、本発明の請求項５記載の踏台においては、踏台が回転軸に対し、回動可能に配置されているので、掃除の際には片手で踏台を移動させることができるので便利である。
【００２３】
又、本発明の請求項６記載の踏台においては、固定プレートの一端を固定ブラケットに挿入することにより、踏台の水平方向の動きを規制することができ、使用者はより安全に踏台を使用できる。
【００２４】
又、本発明の請求項７記載の踏台においては、固定プレートが略Ｌ字形状なので、いろいろなデザインの踏台に固定プレートの取付けが可能となる。
【発明を実施するための最良の形態】
【００２５】
図１〜３３は本発明の請求項１〜７に対応する一実施形態を示し、該実施形態の踏台１は、踏板２、支持脚３、コーナー部４、幕板５、ゴム脚６から構成され、コーナー部４及び幕板５は踏板２に接着剤やねじ等を用いて固定されている。又、支持脚３とゴム脚６はそれぞれコーナー部４とゴム脚６にボルトを用いてねじ込まれており、高さや不陸の調整が可能となっている。該実施形態の踏台は通常、玄関に置いて使用されることが多い。
【００２６】
本発明の一の実施形態の踏台においては、図１〜４に示すが如く、略Ｌ字形状の固定プレート７が踏板２の平面視略矩形状の一辺８側に、該固定プレート７の略Ｌ字形状の一方の辺の底面が、踏み板２の上面に近接又は接触するように配置されている。又、略Ｌ字形状の固定プレート７は木ねじ９により玄関框１０に不動に固定されている。該固定プレート７の配置位置は、玄関框側が好適である。これは、使用者が玄関框から踏台１に降りてくる際に、踏板２の平面視略矩形状の一辺８の対辺１１側に体重をかけた場合に該辺８が持ち上がり転倒の危険が高いためである。略Ｌ字形状の固定プレート７は該辺８の持ち上がり、すなわち上方向への移動を規制している。又、踏台を移動させたい場合は辺８から対辺１１の方向に踏台１を水平に移動させれば良い。
【００２７】
他の実施形態の踏台においては、図５〜８に示すが如く、略Ｌ字形状の固定プレート７が踏台１に設けられたスリット１２に挿入されている。これにより踏板２の平面視略矩形状の一辺８の上方向への移動を規制することができる。又、踏台１を移動させたい場合は辺８から対辺１１の方向に踏台１を水平に移動させれば良い。
【００２８】
更に、図９〜１０に示すが如く、略Ｌ字形状の固定プレート７をＬ字断面に垂直な方向に延長することにより、踏台１を略Ｌ字形状の固定プレート７に沿った任意の位置で配置できるようになり、使用者にとって便利である。
【００２９】
また、他の実施形態の踏台においては、図１１〜１４に示すが如く、幕板５に略Ｕ字金具１３を木ねじ９で固定する。更に、該略Ｕ字金具１３と掛り合い可能な略逆Ｕ字金具１４を玄関框１０に木ねじを用いて固定する。踏台１を該略Ｕ字金具１３と略逆Ｕ字金具１４とが掛り合いするようにセットすることにより踏板２の平面視略矩形状の一辺８の上方向への移動を規制することができる。又、対辺１１側を持ち上げることで、該略Ｕ字金具１３と略逆Ｕ字金具１４の掛り合いを切り離すことにより、踏台１を移動させることができる。
【００３０】
更に、図１５〜１６に示すが如く、略Ｕ字金具１３をＵ字断面に垂直な方向に延長することにより、踏台１を略Ｕ字金具１３の固定プレート７に沿った任意の位置で配置できるようになり、使用者にとって便利である。
【００３１】
また、他の実施形態の踏台においては、図１７〜１８に示すが如く幕板５に略Ｕ字金具１３を木ねじ９で固定する。更に、該略Ｕ字金具１３と掛り合い可能な棒状部材１５を、支持金具１６を介し玄関框１０に固定する。踏台１をＵ字金具１３と棒状部材１５とが掛り合いするようにセットすることにより、踏板２の平面視略矩形状の一辺８の上方向への移動を規制することができる。又、対辺１１側を持ち上げることで、該Ｕ字金具１３と該棒状部材１５の掛り合いを切り離すことにより、踏台１を移動させることができる。
【００３２】
更に、図１９〜２０に示すが如く、棒状部材１５を円形断面に垂直な方向に延長することにより、踏台１を略Ｕ字金具１３の棒状部材１５に沿った任意の位置で配置できるようになり、使用者にとって便利である。
【００３３】
また、他の実施形態の踏台においては、図２１〜２３に示すが如く踏板２には略Ｕ字形断面の貫通溝１８が設けられ該貫通溝１８の内部に棒状部材１５が貫通している。該貫通溝１８の開口端部は塞ぎ板１７で塞がれ、棒状部材１５を保持している。この為、該踏台１は対辺１１側を持ち上げることにより、該棒状部材１５を回転軸として回転することが可能になる。棒状部材１５の端部はそれぞれ支持金具１６により保持され、該支持金具１６は木ねじ９により玄関框１０に固定されている。
【００３４】
更に、棒状部材１５を円形断面に垂直な方向に延長することにより、踏台１を貫通溝１８の棒状部材１５に沿った任意の位置で配置できるようになり、使用者使用者にとって便利である。
【００３５】
また、他の実施形態の踏台においては、図２４〜２７に示すが如く踏台１には固定プレート１９が木ねじ等により幕板５に固定されている。又、固定ブラケットＡ２１は図２８に示すが如く略正方形状の袋形状を有しているが、そのうち２辺は邪魔板Ａ２２、邪魔板Ｂ２３により閉じられており、他の２辺には開口部Ａ２４、開口部Ｂ２５を有している。又、図２７に示すように固定ブラケット２１の踏台側への出っ張りを抑えることができる。
図２４〜２７に示すが如く、踏台１を使用位置に置いた際に、前記固定プレート１９の端部２０に接するか又は近接する位置に前記邪魔板Ａ２２の端面が位置するように、固定ブラケットＡ２１を木ねじ９により玄関框１０に固定する。この際、踏台１を移動させる際に玄関框１０が固定プレート１９で傷つくことの無いよう、保護プレート２６を固定ブラケットＡ２１とともに玄関框１０の固定すると良い。踏台１を移動させる場合は開口部Ａ２４又は開口部Ｂ２５から固定プレート１９を側方若しくは下方に引き出すように踏台１を移動させる。
【００３６】
この際、前記固定ブラケットＡ２１で、邪魔板Ａ２２を開口部とすることも可能である。しかし、使用者が玄関框から踏台１に降りてくる際に、踏板２の平面視略矩形状の一辺８の対辺１１側に体重をかけた場合に該辺８が持ち上がり転倒の危険が高いので、該固定ブラケットＡ２１の邪魔板Ａ２２により、該辺８の上方向の動きを規制した方が使用者は安全に踏台１を使用することができる。
【００３７】
また、該実施例では固定プレート１９の形状は踏台１への取付が便利なようにＬ字形状をしているが、踏台１のデザインによっては単なる直線状の板形状でも良い。
【００３８】
さらに、他の実施形態の踏台においては、図２９から３２に示すが如く前記固定ブラケットＡ２１の形状に工夫をした固定ブラケットＢ２７を用いた場合の実施例を示している。図３３に示すが如く、固定ブラケットＢ２７は前記固定ブラケットＡ２１の開口部Ａ２４を邪魔板Ｃ２８とした固定ブラケットである。邪魔板Ａ２２、邪魔板Ｂ２３、邪魔板Ｃ２８により、前記固定プレート１９は水平方向及び上方向への移動が不可能となる為、踏台は使用中に転倒の危険も無く、かつ、水平方向にずれる危険も無い。又、踏台を移動させる場合には、対辺１１を上方に持ち上げ、固定プレート１９を開口部Ｂ２５から引き抜くようにすれば、簡単に移動させることができる。
【図面の簡単な説明】
【００３９】
【図１】本発明の一実施形態を示す平面図である。
【図２】同実施形態を示す正面図である。
【図３】同実施形態を示す側面図である。
【図４】同実施形態を示す部分拡大図である。
【図５】別の実施形態を示す平面図である。
【図６】同実施形態を示す正面図である。
【図７】同実施形態を示す側面図である。
【図８】同実施形態を示す部分拡大図である。
【図９】更に別の実施形態を示す平面図である。
【図１０】同実施形態を示す正面図である。
【図１１】更に別の一実施形態を示す平面図である。
【図１２】同実施形態を示す正面図である。
【図１３】同実施形態を示す側面図である。
【図１４】同実施形態を示す部分拡大図である。
【図１５】更に別の一実施形態を示す平面図である。
【図１６】同実施形態を示す正面図である。
【図１７】更に別の一実施形態を示す側面図である。
【図１８】同実施形態を示す部分拡大図である。
【図１９】更に別の一実施形態を示す平面図である。
【図２０】同実施形態を示す正面図である。
【図２１】更に別の一実施形態を示す平面図である。
【図２２】同実施形態を示す側面図である。
【図２３】同実施形態を示す部分拡大図である。
【図２４】更に別の一実施形態を示す平面図である。
【図２５】同実施形態を示す側面図である。
【図２６】同実施形態を示す部分拡大図である。
【図２７】同実施形態を示す別の部分拡大図である。
【図２８】同実施形態の固定ブラケットＡを示す図面で（ａ）はその平面図、（ｂ）はその正面図、（ｃ）はその断面図である。
【図２９】更に別の一実施形態を示す平面図である。
【図３０】同実施形態を示す側面図である。
【図３１】同実施形態を示す部分拡大図である。
【図３２】同実施形態を示す別の部分拡大図である。
【図３３】同実施形態の固定ブラケットＢを示す図面で（ａ）はその平面図、（ｂ）はその正面図、（ｃ）はその断面図である。
【図３４】従来例である踏台を示す斜視図である。
【符号の説明】
【００４０】
１…踏台
２…踏板
３…支持脚
４…コーナー部
５…幕板
６…ゴム脚
７…略Ｌ字形状の固定プレート
８…平面視略矩形状の一辺
９…木ねじ
１０…玄関框
１１…対辺
１２…スリット
１３…略Ｕ字金具
１４…略逆Ｕ字金具
１５…棒状部材
１６…支持金具
１７…塞ぎ板
１８…貫通溝
１９…固定プレート
２０…端部
２１…固定ブラケットＡ
２２…邪魔板Ａ
２３…邪魔板Ｂ
２４…開口部Ａ
２５…開口部Ｂ
２６…保護プレート
２７…固定ブラケットＢ
２８…邪魔板Ｃ
【図１】
2005120601.tif 000003
【図２】
2005120601.tif 000004
【図３】
2005120601.tif 000005
【図４】
2005120601.tif 000006
【図５】
2005120601.tif 000007
【図６】
2005120601.tif 000008
【図７】
2005120601.tif 000009
【図８】
2005120601.tif 000010
【図９】
2005120601.tif 000011
【図１０】
2005120601.tif 000012
【図１１】
2005120601.tif 000013
【図１２】
2005120601.tif 000014
【図１３】
2005120601.tif 000015
【図１４】
2005120601.tif 000016
【図１５】
2005120601.tif 000017
【図１６】
2005120601.tif 000018
【図１７】
2005120601.tif 000019
【図１８】
2005120601.tif 000020
【図１９】
2005120601.tif 000021
【図２０】
2005120601.tif 000022
【図２１】
2005120601.tif 000023
【図２２】
2005120601.tif 000024
【図２３】
2005120601.tif 000025
【図２４】
2005120601.tif 000026
【図２５】
2005120601.tif 000027
【図２６】
2005120601.tif 000028
【図２７】
2005120601.tif 000029
【図２８】
2005120601.tif 000030
【図２９】
2005120601.tif 000031
【図３０】
2005120601.tif 000032
【図３１】
2005120601.tif 000033
【図３２】
2005120601.tif 000034
【図３３】
2005120601.tif 000035
【図３４】
2005120601.tif 000036